(57)【要約】本発明は、削除されたコンテンツを復元するコンテンツ記録再生装置であり、コンテンツ記録再生装置としてのＭＤレコーディングプレーヤ（１）は、ミニディスク（９０）に記録されたコンテンツを削除する毎に削除したコンテンツの情報を削除履歴に記録する。ＰＣ（２００）は、削除履歴の内容に基づいて、ＭＤレコーディングプレーヤ（１）で削除されたコンテンツを再記録することにより、ユーザは削除したコンテンツを記憶に頼って再記録しなくてもよい。また、ＭＤレコーディングプレーヤ（１）にチェックアウトされたコンテンツが削除されても、削除履歴或いは記録履歴に基づいてみなしチェックインを実行することによりチェックイン・チェックアウトの回数とコンテンツデータとが整合されて、チェックアウトされたコンテンツデータがチェックアウト先で削除されていた場合でもチェックアウトの制限回数が保証できコンテンツデータが使用できなくなる不具合を防止できる。【特許請求の範囲】
【請求項１】
主データが記録される記録領域と該主データを管理するデータが記録される管理領域とを有する記録媒体に対してオーディオデータ、画像データ、コンピュータデータを含むコンテンツデータを記録及び／又は再生するコンテンツ記録再生装置において、
上記記録媒体に対してコンテンツデータを記録する或いは記録されたコンテンツデータを再生する記録再生手段と、
使用者から記録又は再生に対する操作入力が行われる操作手段と、
上記操作手段からの指示に応じて上記主データが記録される記録領域及び上記管理領域に記録された情報に対して削除、複製、並び替えを含む編集処理を行う編集手段と、
上記コンテンツデータが削除されたときコンテンツデータに関する情報に基づく削除履歴情報を作成する削除履歴作成手段と、
上記操作手段によって上記記録媒体に記録されたコンテンツデータが削除されたとき上記削除履歴作成手段によって削除履歴情報を作成し上記記録媒体に書き込む処理を行う制御手段と
を備えることを特徴とするコンテンツ記録再生装置。
【請求項２】
コンテンツデータを蓄積する蓄積手段を備える情報処理装置と接続しコンテンツデータを送受する接続手段を備え、
上記コンテンツデータが上記情報処理装置から提供されたものである場合、上記制御手段は、上記情報処理装置に接続されたとき上記記録媒体に記録された削除履歴情報を上記情報処理装置に伝送することを特徴とする請求の範囲第１項記載のコンテンツ記録再生装置。
【請求項３】
画像データを取得する画像データ取得手段を備え、
上記画像データ取得手段において画像データが取得されるとき、上記制御手段は、上記記録媒体の記録容量に応じて上記コンテンツデータの一部を削除し上記削除履歴作成手段によって削除履歴情報を作成し上記記録媒体に書き込む処理を行うことを特徴とする請求の範囲第２項記載のコンテンツ記録再生装置。
【請求項４】
コンテンツデータを蓄積する蓄積手段を備え、且つ記録媒体を装着して記録再生可能な外部機器と接続されて該コンテンツデータを外部機器に伝送可能な情報処理装置において、
上記外部機器によって上記蓄積手段からコンテンツデータが読み出されるとき上記外部機器に読み出されたコンテンツデータに関する情報に基づく記録履歴情報を作成する記録履歴作成手段と、
上記外部機器が接続されたとき上記外部機器が記録再生可能とする記録媒体に格納されたコンテンツデータと上記記録履歴情報とを比較し削除されたコンテンツデータを再伝送する制御手段と
を備えることを特徴とする情報処理装置。
【請求項５】
コンテンツデータを蓄積可能な情報処理装置と、該情報処理装置に接続されて該情報処理装置の蓄積手段からコンテンツデータを読み出して記録媒体に記録する或いは記録媒体に記録されたコンテンツデータを上記情報処理装置の蓄積手段に伝送するコンテンツ記録再生装置とからなるコンテンツ記録再生システムにおいて、
上記コンテンツ記録再生装置は、主データが記録される記録領域と該主データを管理するデータが記録される管理領域とを有する記録媒体に対してコンテンツデータを記録する或いは記録されたコンテンツデータを再生する記録再生手段と、使用者から記録又は再生に対する操作入力が行われる操作手段と、上記操作手段からの指示に応じて上記主データが記録される記録領域及び上記管理領域に記録された情報に対して削除、複製、並び替えを含む編集処理を行う編集手段と、上記コンテンツデータが削除されたときコンテンツデータに関する情報に基づく削除履歴情報を作成する削除履歴作成手段と、上記操作手段によって上記記録媒体に記録されたコンテンツデータが削除されたとき上記削除履歴作成手段によって削除履歴情報を作成し上記記録媒体に書き込む処理を行う制御手段とを備え
上記情報処理装置は、上記コンテンツ記録再生装置が接続されたとき上記コンテンツ記録再生装置によって上記記録媒体上に作成された削除履歴情報を取得し、該削除履歴情報に基づいて削除コンテンツデータを再伝送することを特徴とするコンテンツ記録再生システム。
【請求項６】
コンテンツデータを蓄積可能な情報処理装置と、該情報処理装置に接続されて該情報処理装置の蓄積手段からコンテンツデータを読み出して記録媒体に記録する或いは記録媒体に記録されたコンテンツデータを上記情報処理装置の蓄積手段に伝送するコンテンツ記録再生装置とからなるコンテンツ記録再生システムにおいて、
上記コンテンツ記録再生装置は、主データが記録される記録領域と該主データを管理するデータが記録される管理領域とを有する記録媒体に対してコンテンツデータを記録する或いは記録されたコンテンツデータを再生する記録再生手段と、使用者から記録又は再生に対する操作入力が行われる操作手段と、上記操作手段からの指示に応じて上記主データが記録される記録領域及び上記管理領域に記録された情報に対して削除、複製、並び替えを含む編集処理を行う編集手段とを備え、
上記情報処理装置は、上記コンテンツ記録再生装置によってコンテンツデータが読み出されるとき上記コンテンツ記録再生装置に読み出されたコンテンツデータに関する情報に基づく記録履歴情報を作成する記録履歴作成手段とを備え、
上記コンテンツ記録再生装置は、上記情報処理装置と接続されたとき、記録媒体に記録されたコンテンツデータと上記記録履歴情報とを比較し削除されたコンテンツデータを上記情報処理装置に対して要求することを特徴とするコンテンツ記録再生システム。
【請求項７】
主データが記録される記録領域と該主データを管理するデータが記録される管理領域とを有する記録媒体に対してオーディオデータ、画像データ、コンピュータデータを含むコンテンツデータを記録及び／又は再生するコンテンツ記録再生方法において、
使用者から操作手段を介して行われた記録又は再生に対する指示に応じて上記コンテンツデータが削除されたとき、コンテンツデータに関する情報に基づく削除履歴情報を作成する削除履歴作成ステップと、
上記作成された削除履歴情報を上記記録媒体に書き込むステップと
を有することを特徴とするコンテンツ記録再生方法。
【請求項８】
コンテンツデータを蓄積するストレージを備え、且つ記録媒体を装着して記録再生可能な外部機器と接続されて該コンテンツデータを外部機器に伝送可能な情報処理装置におけるコンテンツ記録再生方法において、
上記外部機器によって上記ストレージからコンテンツデータが読み出されるとき上記外部機器に読み出されたコンテンツデータに関する情報に基づく記録履歴情報を作成する記録履歴作成ステップと、
上記外部機器が接続されたとき上記外部機器が記録再生可能とする記録媒体に格納されたコンテンツデータと上記記録履歴情報とを比較し削除されたコンテンツデータを再伝送するステップと
を有することを特徴とするコンテンツ記録再生方法。
【請求項９】
コンテンツデータを蓄積可能な情報処理装置と、該情報処理装置に接続されて該情報処理装置の蓄積手段からコンテンツデータを読み出して記録媒体に記録する或いは記録媒体に記録されたコンテンツデータを上記情報処理装置のストレージに伝送するコンテンツ記録再生装置におけるコンテンツ記録再生方法において、
使用者から操作手段を介して行われた記録又は再生に対する指示に応じて上記コンテンツデータが削除されたとき、コンテンツデータに関する情報に基づく削除履歴情報を作成する削除履歴作成ステップと、
上記作成された削除履歴情報を上記記録媒体に書き込むステップと、
上記情報処理装置と上記コンテンツ記録再生装置とが接続されたとき上記記録媒体上に作成された削除履歴情報を取得し、該削除履歴情報に基づいて削除コンテンツデータを再伝送することを特徴とするコンテンツ記録再生方法。
【請求項１０】
コンテンツデータを蓄積可能な情報処理装置と、該情報処理装置に接続されて該情報処理装置の蓄積手段からコンテンツデータを読み出して記録媒体に記録する或いは記録媒体に記録されたコンテンツデータを上記情報処理装置のストレージに伝送するコンテンツ記録再生装置におけるコンテンツ記録再生方法において、
上記コンテンツ記録再生装置が上記情報処理装置からコンテンツデータを読み出すとき上記コンテンツ記録再生装置に読み出されたコンテンツデータに関する情報に基づく記録履歴情報を作成する記録履歴作成ステップを有し、
上記コンテンツ記録再生装置と上記情報処理装置とが接続されたとき、上記記録媒体に記録されたコンテンツデータと上記記録履歴情報とを比較し削除されたコンテンツデータを上記情報処理装置に対して要求することを特徴とするコンテンツ記録再生方法。
【発明の詳細な説明】
【技術分野】
【０００１】  本発明は、削除されたコンテンツを復元するコンテンツ記録再生装置及びコンテンツ記録再生方法、並びに記憶したコンテンツを外部装置や記録媒体に記録するコンテンツ記録再生システムに関する。
本出願は、日本国において２００３年１２月２５日に出願された日本特許出願番号２００３−４３０７３０を基礎として優先権を主張するものであり、この出願は参照することにより、本出願に援用される。
【背景技術】
【０００２】  光記録媒体、半導体メモリ、磁気記録媒体などの記録媒体は、音楽コンテンツ、映像コンテンツ、テキストなどの様々な種類の情報を記憶することができる。そのため、フォーマットの異なるデータを記録再生可能な装置があれば、ユーザは、１つの記録媒体を携帯するだけで、あるときは音楽コンテンツを記録又は再生し、あるときはデジタルカメラ等で撮像した画像データをこの記録媒体に記録することができる。
当然のことながら、記録媒体の容量には限界があるため、次々と新しい情報を記録することができるわけではない。記録媒体の記録容量の残量が僅かになると、ユーザは、新たな情報を記録する領域を確保する代わりに記録媒体に記録された古い情報を削除するか、また記録領域が確保できなければ新たな情報の追加を諦めなければならない。
しかし、情報を削除した後は、例えば、この記録再生装置がパーソナルコンピュータ等の外部機器に接続できるのであれば、ユーザは接続される外部機器から自身の記憶を頼りに削除した情報を検索して再度取得しなければならなかった。
近年、著作権保護技術の一例として、チェックアウト、チェックインと呼ばれるコンテンツの管理方法が用いられている。これは、記録媒体或いは機器間でコンテンツを単純に複製するものとは異なり、記録媒体或いは機器間におけるコンテンツの複製と移動、また使用権を所定の条件の範囲内で許可する管理方法である。例えば、この著作権保護技術では、ある機器に記録されたコンテンツは、この機器から他の機器或いは記録媒体に対して所定回数持ち出せるように決められており、その間、使用が可能になっている。ある機器から使用権が持ち出された（これをチェックアウトという。）コンテンツは、移動先の機器或いは記録媒体で使用可能になる代わりに、使用権を返却する（これをチェックインという。）まで元の機器では使用できなくなるように管理されている場合もある。また、チェックアウト回数をカウントし、チェックアウト回数が制限回数を超えると、このコンテンツの複製を使用不可能にするという技術も提案されている（例えば、特許文献１参照）。
このように著作権管理されたコンテンツを購入したユーザは、制限回数内であれば、コンテンツを他の機器にチェックアウトして使用できるはずである。しかしながら、上述したような状況になったとき、すなわち新たなコンテンツを記録する必要があって古いコンテンツを削除しなければならないとき、パーソナルコンピュータ等のホスト機器からチェックアウトされたコンテンツをチェックアウト先の機器で削除してしまうと、ホスト側が次回接続されたときにコンテンツをチェックインできず、チェックアウト回数がカウントされたままになってしまう。このような場合、チェックアウトの制限回数を超えてしまえば、記録再生装置側で削除したコンテンツを利用できなくなる。また、チェックアウトされたコンテンツがホスト機器側で再利用できなかったり、別の機器へ再度チェックアウトすることができなくなったりするという問題点があった。
【特許文献１】特開２０００−３１５１７７号公報
【発明の開示】
【発明が解決しようとする課題】
【０００３】  本発明は、上述した従来の実情に鑑みて提案されたものであり、機器間或いは記録媒体間の移動と複製とが管理されたコンテンツデータが削除された場合であっても、著作権保護下で削除されたコンテンツデータを復元し利用可能にするコンテンツ記録再生装置及びコンテンツ記録再生方法、並びにコンテンツ記録再生システムを提供することを目的とする。
本発明は、上述の目的を解決するために以下のような構成を採用している。すなわち、本発明に係るコンテンツ記録再生装置は、主データが記録される記録領域と該主データを管理するデータが記録される管理領域とを有する記録媒体に対してオーディオデータ、画像データ、コンピュータデータを含むコンテンツデータを記録及び／又は再生するコンテンツ記録再生装置において、記録媒体に対してコンテンツデータを記録する或いは記録されたコンテンツデータを再生する記録再生手段と、使用者から記録又は再生に対する操作入力が行われる操作手段と、操作手段からの指示に応じて主データが記録される記録領域及び管理領域に記録された情報に対して削除、複製、並び替えを含む編集処理を行う編集手段と、コンテンツデータが削除されたときコンテンツデータに関する情報に基づく削除履歴情報を作成する削除履歴作成手段と、操作手段によって記録媒体に記録されたコンテンツデータが削除されたとき削除履歴作成手段によって削除履歴情報を作成し上記記録媒体に書き込む処理を行う制御手段とを備えることにより、上述した目的を達成する。
ここで、コンテンツデータを送受する接続手段を更に備え、コンテンツデータを蓄積する蓄積手段を備える外部の情報処理装置と接続可能であるとき、制御手段は、情報処理装置に接続されたときに記録媒体に記録された削除履歴情報を情報処理装置に伝送する。削除されたコンテンツデータがそもそも情報処理装置から提供されたものである場合には、削除されたコンテンツデータが再度提供される。
また、コンテンツ記録再生装置は、画像データを取得する画像データ取得手段を備えていてもよい。制御手段は、画像データ取得手段において画像データが取得されるとき、記録媒体の記録容量に応じてコンテンツデータの一部を削除して記録容量を確保するとともに、削除履歴作成手段によって削除履歴情報を作成しこれを記録媒体に書き込む処理を行う。
また、上述した目的を達成するために、本発明に係る情報処理装置は、コンテンツデータを蓄積する蓄積手段を備え且つ記録媒体を装着して記録再生可能な外部機器と接続されて該コンテンツデータを外部機器に伝送可能な情報処理装置において、外部機器によって蓄積手段からコンテンツデータが読み出されるとき外部機器に読み出されたコンテンツデータに関する情報に基づく記録履歴情報を作成する記録履歴作成手段と、外部機器が接続されたとき外部機器が記録再生可能とする記録媒体に格納されたコンテンツデータと記録履歴情報とを比較し削除されたコンテンツデータを再伝送する制御手段とを備える。
また、上述した目的を達成するために、本発明に係るコンテンツ記録再生システムは、コンテンツデータを蓄積可能な情報処理装置と、該情報処理装置に接続されて該情報処理装置の蓄積手段からコンテンツデータを読み出して記録媒体に記録する或いは記録媒体に記録されたコンテンツデータを上記情報処理装置の蓄積手段に伝送するコンテンツ記録再生装置とからなる。コンテンツ記録再生装置は、主データが記録される記録領域と該主データを管理するデータが記録される管理領域とを有する記録媒体に対してコンテンツデータを記録する或いは記録されたコンテンツデータを再生する記録再生手段と、使用者から記録又は再生に対する操作入力が行われる操作手段と、操作手段からの指示に応じて主データが記録される記録領域及び管理領域に記録された情報に対して削除、複製、並び替えを含む編集処理を行う編集手段と、コンテンツデータが削除されたときコンテンツデータに関する情報に基づく削除履歴情報を作成する削除履歴作成手段と、操作手段によって記録媒体に記録されたコンテンツデータが削除されたとき削除履歴作成手段によって削除履歴情報を作成し記録媒体に書き込む処理を行う制御手段とを備える。情報処理装置は、コンテンツ記録再生装置が接続されたときコンテンツ記録再生装置によって記録媒体上に作成された削除履歴情報を取得し、該削除履歴情報に基づいて削除コンテンツデータを再伝送することにより、コンテンツ記録再生装置で作成された削除履歴情報に基づいて情報処理装置が削除コンテンツを復元する。
また、上述した目的を達成するために、本発明に係るコンテンツ記録再生システムは、コンテンツデータを蓄積可能な情報処理装置と、該情報処理装置に接続されて該情報処理装置の蓄積手段からコンテンツデータを読み出して記録媒体に記録する或いは記録媒体に記録されたコンテンツデータを上記情報処理装置の蓄積手段に伝送するコンテンツ記録再生装置とからなり、コンテンツ記録再生装置は、主データが記録される記録領域と該主データを管理するデータが記録される管理領域とを有する記録媒体に対してコンテンツデータを記録する或いは記録されたコンテンツデータを再生する記録再生手段と、使用者から記録又は再生に対する操作入力が行われる操作手段と、操作手段からの指示に応じて主データが記録される記録領域及び管理領域に記録された情報に対して削除、複製、並び替えを含む編集処理を行う編集手段とを備える。また、情報処理装置は、コンテンツ記録再生装置によってコンテンツデータが読み出されるときコンテンツ記録再生装置に読み出されたコンテンツデータに関する情報に基づく記録履歴情報を作成する記録履歴作成手段とを備える。そして、コンテンツ記録再生装置が情報処理装置と接続されたとき、記録媒体に記録されたコンテンツデータと記録履歴情報とを比較し削除されたコンテンツデータを情報処理装置に対して要求することにより、削除されたコンテンツデータを復元する。
また、上述したコンテンツ記録再生装置に対応する方法として、主データが記録される記録領域と該主データを管理するデータが記録される管理領域とを有する記録媒体に対してオーディオデータ、画像データ、コンピュータデータを含むコンテンツデータを記録及び／又は再生するコンテンツ記録再生方法において、使用者から操作手段を介して行われた記録又は再生に対する指示に応じてコンテンツデータが削除されたとき、コンテンツデータに関する情報に基づく削除履歴情報を作成する削除履歴作成ステップと、作成された削除履歴情報を記録媒体に書き込むステップとを有するコンテンツ記録再生方法があげられる。
また、コンテンツデータを蓄積するストレージを備え、且つ記録媒体を装着して記録再生可能な外部機器と接続されて該コンテンツデータを外部機器に伝送可能な情報処理装置におけるコンテンツ記録再生方法において、外部機器によってストレージからコンテンツデータが読み出されるとき、外部機器に読み出されたコンテンツデータに関する情報に基づく記録履歴情報を作成する記録履歴作成ステップと、外部機器が接続されたとき外部機器が記録再生可能とする記録媒体に格納されたコンテンツデータと記録履歴情報とを比較し削除されたコンテンツデータを再伝送するステップとをコンテンツ記録再生方法があげられる。
また、上述したコンテンツ記録再生システムに対応する方法として、コンテンツデータを蓄積可能な情報処理装置と、該情報処理装置に接続されて該情報処理装置の蓄積手段からコンテンツデータを読み出して記録媒体に記録する或いは記録媒体に記録されたコンテンツデータを上記情報処理装置のストレージに伝送するコンテンツ記録再生装置におけるコンテンツ記録再生方法において、使用者から操作手段を介して行われた記録又は再生に対する指示に応じてコンテンツデータが削除されたときコンテンツデータに関する情報に基づく削除履歴情報を作成し、作成された削除履歴情報を記録媒体に書き込み、情報処理装置とコンテンツ記録再生装置とが接続されたとき記録媒体上に作成された削除履歴情報を取得して該削除履歴情報に基づいて削除コンテンツデータを再伝送する。
また、コンテンツデータを蓄積可能な情報処理装置と、該情報処理装置に接続されて該情報処理装置の蓄積手段からコンテンツデータを読み出して記録媒体に記録する或いは記録媒体に記録されたコンテンツデータを上記情報処理装置のストレージに伝送するコンテンツ記録再生装置におけるコンテンツ記録再生方法において、コンテンツ記録再生装置が情報処理装置からコンテンツデータを読み出すとき上記コンテンツ記録再生装置に読み出されたコンテンツデータに関する情報に基づく記録履歴情報を作成し、コンテンツ記録再生装置と情報処理装置とが接続されたとき、記録媒体に記録されたコンテンツデータと記録履歴情報とを比較し、削除されたコンテンツデータを情報処理装置に対して要求する。
本発明は、請求の範囲に記載され、さらに、以下において図面を参照して詳細に説明される。
【図面の簡単な説明】
【０００４】［図１］第１図は、本発明の具体例として示すＭＤレコーディングプレーヤとＰＣとで構成されるシステムを示す概略図である。
［図２］第２図は、本発明の具体例として示すＭＤレコーディングプレーヤの概略を説明する図である。
［図３］第３図は、上記ＭＤレコーディングプレーヤのメディアドライブ部を説明する構成図である。
［図４］第４図は、上記ＭＤレコーディングプレーヤのストレージ部としてのＥＦＭ／ＡＣＩＲＣコーデックを説明する構成図である。
［図５］第５図は、上記ＭＤレコーディングプレーヤで記録再生されるミニディスクの盤面上のエリア構造例を説明する模式図である。
［図６］第６図は、上記ＭＤレコーディングプレーヤで記録再生されるミニディスクの盤面上のエリア構造例を説明する模式図である。
［図７］第７図は、上記ミニディスクにオーディオデータとＰＣ用データとを混在記録した場合の盤面上のエリア構成を説明する模式図である。
［図８］第８図は、オーディオデータの管理方式の一例であるＦＡＴファイルシステムを説明する図である。
［図９］第９図は、第１の方法によってＭＤレコーディングプレーヤがミニディスク上に作成する削除履歴の一例を示す図である。
［図１０］第１０図は、第１の方法を実現するパーソナルコンピュータとＭＤレコーディングプレーヤの機能構成を示す図である。
［図１１］第１１Ａ及び１１Ｂ図は、第１の方法により削除コンテンツを復元する処理を説明するフローチャートである。
［図１２］第１２図は、第２の方法においてＰＣに作成され、ＰＣが保持する記録履歴の一例を示す図である。
［図１３］第１３図は、第２の方法を実現するパーソナルコンピュータとＭＤレコーディングプレーヤの機能構成を示す図である。
［図１４］第１４Ａ及び１４Ｂ図は、第２の方法により削除コンテンツを復元する処理を説明するフローチャートである。
［図１５］第１５Ａ及び１５Ｂ図は、第３の方法によってＰＣ内に作成される記録履歴、及びＭＤレコーディングプレーヤがミニディスク上に作成する削除履歴の一例を説明する図である。
［図１６］第１６図は、第３の方法を実現するパーソナルコンピュータとＭＤレコーディングプレーヤの機能構成を示す図である。
［図１７］第１７Ａ及び１７Ｂ図は、第３の方法により削除コンテンツを復元する処理を説明するフローチャートである。
［図１８］第１８図は、第１の方法及び第３の方法において新たに記録するコンテンツデータのためにミニディスクに記録されたコンテンツを削除する処理を説明するフローチャートである。
【発明を実施するための最良の形態】
【０００５】  以下、本発明の具体的な実施例を図面を参照して説明する。本具体例では、本発明を、ディスク状の光磁気記録媒体の一例としてミニディスク（Ｍｉｎｉ  Ｄｉｓｃ：ＭＤ（登録商標））方式の記録媒体に対して、オーディオデータ、映像データ、コンピュータ用のデータ（以下、ＰＣデータという。）等を含むコンテンツデータを記録再生可能なコンテンツ記録再生装置に適用した場合について説明する。
図１に示すコンテンツ記録再生装置１は、デジタルカメラとしての構成とオーディオ記録再生装置としての機能を備え、撮像した画像データを上述のミニディスクに記録したり、また再生したり、ミニディスクにオーディオデータを記録したり再生したりできる装置である。そのため、以下では、コンテンツ記録再生装置をＭＤレコーディングプレーヤとして説明する。
ＭＤレコーディングプレーヤ１は、図１に示すように、ＵＳＢ（Ｕｎｉｖｅｒｓａｌ  Ｓｅｒｉａｌ  Ｂｕｓ）ケーブル３００等の接続インターフェイスを用いてパーソナルコンピュータ（以下、ＰＣという）２００等の外部機器と接続可能になっており、ＰＣ２００との間で、オーディオデータ、映像データ、コンピュータ用のデータ（以下、ＰＣデータという。）等を含むコンテンツデータを送受することができる。したがって、ＭＤレコーディングプレーヤ１は、ホストとして機能するＰＣ２００の内部にあるＨＤＤ（Ｈａｒｄ  Ｄｉｓｋ  Ｄｒｉｖｅ）等に格納されたコンテンツデータを必要に応じてミニディスク９０内に読み出しミニディスク９０から再生することができる。また、ミニディスク９０は、ＰＣデータを記録することもできるため、ＭＤレコーディングプレーヤ１は、ＰＣ２００の外部記録装置としても使用できる。
このＭＤレコーディングプレーヤ１によって再生可能なミニディスク９０は、例えば、オーディオデータ、映像データ、ＰＣデータ等のように異なるフォーマットで作成された異なるデータを扱うことができ、認証によって使用可能となる秘匿領域と、認証することなく使用可能な通常記録領域とを有する。秘匿領域は、著作権が発生する音楽コンテンツ、映像コンテンツ等の特定のデータのみが記録できる領域であり、本具体例では、ＡＴＲＡＣ（Ａｄａｐｔｉｖｅ  ＴＲａｎｓｆｏｒｍ  Ａｃｏｕｓｔｉｃ  Ｃｏｄｉｎｇ）方式、ＡＴＲＡＣ３方式、ＡＴＲＡＣ３ｐｌｕｓ方式等のＡＴＲＡＣ（登録商標）ファミリ形式のオーディオデータは、この秘匿領域に記録可能な特定データとして扱われる。ＭＰ３（ＭＰＥＧ１  Ａｕｄｉｏ  Ｌａｙｅｒ−３）形式、ＷＭＡ（Ｗｉｎｄｏｗｓ（登録商標）Ｍｅｄｉａ  Ａｕｄｉｏ）形式等、ＡＴＲＡＣ以外のオーディオデータ、画像データ、テキストデータ等のデータは、通常記録領域に記録される。
ここで、ＭＤレコーディングプレーヤ１で使用可能となるミニディスク９０について説明する。
本具体例で適用できるミニディスク９０としては、従来の光磁気記録方式の変調方式を工夫したタイプと、従来の光磁気記録方式を採用したミニディスクの記録再生方式として通常用いられる記録フォーマットとは異なる信号方式を適用することによって秘匿性の向上と記録容量の高密度化を実現した新規タイプとがあげられる。新規タイプは、高密度記録技術及び新規ファイルシステムを適用することによって、従来のミニディスクと筐体外形及び記録再生光学系に互換性を有しつつ、記録容量の増加を実現している。
以下、ミニディスク９０の仕様例について説明する。まず、従来のミニディスクの仕様について説明する。
従来のミニディスク（及びＭＤ−ＤＡＴＡ）の物理フォーマットは、以下のように定められている。トラックピッチは、１．６μｍ、ビット長は、０．５９μｍ／ｂｉｔとなる。また、レーザ波長λは、λ＝７８０ｎｍであり、光学ヘッドの開口率は、ＮＡ＝０．４５としている。記録方式としては、グルーヴ（ディスク盤面上の溝）をトラックとして記録再生に用いるグルーヴ記録方式を採用している。また、アドレス方式は、ディスク盤面上にシングルスパイラルのグルーヴを形成し、このグルーヴの両側に対してアドレス情報としてのウォブル（Ｗｏｂｂｌｅ）を形成したウォブルドグルーヴを利用する方式をとっている。なお、本明細書では、ウォブルとして記録される絶対アドレスをＡＤＩＰ（Ａｄｄｒｅｓｓ  ｉｎ  Ｐｒｅｇｒｏｏｖｅ）ともいう。従来のミニディスクでは、記録データの変調方式としてＥＦＭ（８−１４変換）変調方式が採用されている。また、誤り訂正方式としては、ＡＣＩＲＣ（Ａｄｖａｎｃｅｄ  Ｃｒｏｓｓ  Ｉｎｔｅｒｌｅａｖｅ  Ｒｅｅｄ−Ｓｏｌｏｍｏｎ  Ｃｏｄｅ）を用いている。また、データインターリーブには、畳み込み型を採用している。これにより、データの冗長度は、４６．３％となっている。また、従来のミニディスクにおけるデータの検出方式は、ビットバイビット方式であって、ディスク駆動方式としては、ＣＬＶ（Ｃｏｎｓｔａｎｔ  Ｌｉｎｅａｒ  Ｖｅｌｏｃｉｔｙ）が採用されている。ＣＬＶの線速度は、１．２ｍ／ｓである。記録再生時の標準のデータレートは、１３３ｋＢ／ｓ、記録容量は、１６４ＭＢ（ＭＤ−ＤＡＴＡでは、１４０ＭＢ）である。また、データの最小書換単位（クラスタ）は、３２個のメインセクタと４個のリンクセクタによる３６セクタで構成されている。
これに対して、本具体例で使用するミニディスク９０のうち、従来の光磁気記録方式の変調方式を変更することで記録密度の高密度化を達成したタイプ（以下、必要に応じて第１の次世代ＭＤという。）は、上述した従来のミニディスクと記録媒体の物理的仕様が同一であって、トラックピッチは、１．６μｍ、レーザ波長λは、λ＝７８０ｎｍであり、光学ヘッドの開口率は、ＮＡ＝０．４５である。記録方式としては、グルーヴ記録方式を採用している。また、アドレス方式は、ＡＤＩＰを利用する。このように、ディスクドライブ装置における光学系の構成、ＡＤＩＰアドレス読出方式、及びサーボ処理は、従来のミニディスクと同様であるため、従来ディスクとの互換性が達成されている。また、このミニディスクは、記録データの変調方式として、高密度記録に適合したＲＬＬ（１−７）ＰＰ変調方式（ＲＬＬ：Ｒｕｎ  Ｌｅｎｇｔｈ  Ｌｉｍｉｔｅｄ、ＰＰ：Ｐａｒｉｔｙ  ｐｒｅｓｅｒｖｅ／Ｐｒｏｈｉｂｉｔ  ｒｍｔｒ（ｒｅｐｅａｔｅｄ  ｍｉｎｉｍｕｍ  ｔｒａｎｓｉｔｉｏｎ  ｒｕｎｌｅｎｇｔｈ））を採用している。また、誤り訂正方式としては、より訂正能力の高いＢＩＳ（Ｂｕｒｓｔ  Ｉｎｄｉｃａｔｏｒ  Ｓｕｂｃｏｄｅ）付きのＲＳ−ＬＤＣ（Ｒｅｅｄ  Ｓｏｌｏｍｏｎ−Ｌｏｎｇ  Ｄｉｓｔａｎｃｅ  Ｃｏｄｅ）方式を用いている。また、データインターリーブは、ブロック完結型としている。これによりデータの冗長度は、２０．５０％になる。また、データの検出方式は、ＰＲ（１，２，１）ＭＬによるビタビ復号方式を適用する。
この場合、ディスク駆動方式は、同様でＣＬＶ方式を用い、その線速度は、２．４ｍ／ｓとする。記録再生時の標準データレートは、４．４ＭＢ／ｓである。この方式を採用することにより、総記録容量を３００ＭＢにすることができる。変調方式をＥＦＭからＲＬＬ（１−７）ＰＰ変調方式とすることによって、ウインドウマージンが０．５から０．６６６となるため、１．３３倍の高密度化が実現できる。また、データの最小書換単位であるクラスタは、１６セクタ、６４ｋＢで構成される。このように記録変調方式をＣＩＲＣ方式からＢＩＳ付きのＲＳ−ＬＤＣ方式及びセクタ構造の差異とビタビ復号を用いる方式にすることで、データ効率が５３．７％から７９．５％となるため、１．４８倍の高密度化が実現できている。これらを総合すると、記録容量を従来ミニディスクの約２倍である３００ＭＢにすることができる。
また、従来の光磁気記録方式を採用したミニディスクの記録再生方式として通常用いられる記録フォーマットとは異なる信号方式を適用することによって秘匿性の向上と記録容量の高密度化を実現した新規タイプ（以下、必要に応じて、第２の次世代ＭＤという。）は、例えば、磁壁移動検出方式（ＤＷＤＤ：Ｄｏｍａｉｎ  Ｗａｌｌ  Ｄｉｓｐｌａｃｅｍｅｎｔ  Ｄｅｔｅｃｔｉｏｎ）等の高密度化記録技術を適用した記録媒体であって、従来のミニディスクとは、物理フォーマットが異なっている。
新規タイプは、トラックピッチが１．２５μｍ、ビット長が０．１６μｍ／ｂｉｔであり、線方向に高密度化されている。また、従来ミニディスクとの互換をとるため、光学系、読出方式、サーボ処理等は、従来の規格に準じて、レーザ波長λは、λ＝７８０ｎｍ、光学ヘッドの開口率は、ＮＡ＝０．４５とする。記録方式は、グルーヴ記録方式、アドレス方式は、ＡＤＩＰを利用した方式とする。また、筐体外形も従来ミニディスクと同一規格とされている。但し、従来ミニディスクと同等の光学系を用いて、従来ミニディスクのトラックピッチよりも狭いトラックピッチ及び線密度（ビット長）を読み取る際には、デトラックマージン、ランド及びグルーヴからのクロストーク、ウォブルのクロストーク、フォーカス漏れ、ＣＴ信号等における制約条件を解消する必要がある。そのため、新規タイプのミニディスク９０では、グルーヴの溝深さ、傾斜、幅等が変更されている。具体的には、グルーヴの溝深さが１６０ｎｍ〜１８０ｎｍ、傾斜が６０°〜７０°、幅が６００ｎｍ〜８００ｎｍになっている。
また更に、新規タイプのミニディスクでは、記録データの変調方式として、高密度記録に適合したＲＬＬ（１−７）ＰＰ変調方式（ＲＬＬ：Ｒｕｎ  Ｌｅｎｇｔｈ  Ｌｉｍｉｔｅｄ、ＰＰ：Ｐａｒｉｔｙ  ｐｒｅｓｅｒｖｅ／Ｐｒｏｈｉｂｉｔ  ｒｍｔｒ（ｒｅｐｅａｔｅｄ  ｍｉｎｉｍｕｍ  ｔｒａｎｓｉｔｉｏｎ  ｒｕｎｌｅｎｇｔｈ））を採用している。また、誤り訂正方式としては、より訂正能力の高いＢＩＳ（Ｂｕｒｓｔ  Ｉｎｄｉｃａｔｏｒ  Ｓｕｂｃｏｄｅ）付きのＲＳ−ＬＤＣ（Ｒｅｅｄ  Ｓｏｌｏｍｏｎ−Ｌｏｎｇ  Ｄｉｓｔａｎｃｅ  Ｃｏｄｅ）方式を用いている。データインターリーブは、ブロック完結型とする。これによりデータの冗長度は、２０．５０％になる。またデータの検出方式は、ＰＲ（１，−１）ＭＬによるビタビ復号方式を用いる。また、データの最小書換単位であるクラスタは、１６セクタ、６４ｋＢで構成されている。
この場合のディスク駆動方式には、ＺＣＡＶ方式を用い、その線速度は、２．０ｍ／ｓとする。記録再生時の標準データレートは、９．８ＭＢ／ｓである。このように新規タイプは、ＤＷＤＤ方式及びこの駆動方式を採用することにより、総記録容量を１ＧＢ程度にできる。
本発明の具体例として示すＭＤレコーディングプレーヤ１の内部構成について、図２〜図４を用いて説明する。上述したような複数タイプのミニディスク９０に対応するために、図２に示す本例のＭＤレコーディングプレーヤ１では、記録再生部４として、図４に詳細に示す符号化及び／又は復号部（以下、コーデックという。）を備えている。図４は、図３に示すＭＤレコーディングプレーヤ１のコーデックを具体的に説明している。
ＭＤレコーディングプレーヤ１は、記録媒体としてミニディスク９０を使用し、オーディオデータ、静止画像データ、動画像データ、テキストデータ、パーソナルコンピュータ用のデータ等、異なるフォーマットで作成された各種コンテンツデータを扱うことができ、例えば、オーディオデータを再生する一方で表示部において静止画像データ又は動画像データを再生するというように、フォーマットの異なるコンテンツデータを同時に再生することができる。
ここで、ミニディスク９０に関して説明を加える。ミニディスク９０の通常のデータ再生動作時にはアクセスできない所定領域に、記録媒体毎にユニークな識別情報としてＩＤコードが記録されている。このＩＤコードは、記録媒体の種別によって、消去可能な情報として記録装置で任意に発生して記録される場合と、工場出荷時に上書き不可能な状態に記録される場合とがある。
図２に示すように、ＭＤレコーディングプレーヤ１は、データ記録再生制御部２と画像処理部３とを備えている。データ記録再生制御部２は、ミニディスク９０に対して記録再生を行う記録再生部４と、オーディオデータを入力するオーディオデータ入力部５と、オーディオデータを外部に出力するオーディオデータ出力部６と、オーディオデータに対して所定の圧縮伸長処理を施すオーディオデータ処理部７と、情報処理機器にデータを送受するための外部インターフェイス部８と、入力操作部９と、メモリ転送コントローラ１０と、補助メモリとしてのキャッシュメモリ１１と、システムコントローラ１２とを備えている。
画像処理部３は、ＣＣＤ（Ｃｈａｒｇｅ  Ｃｏｕｐｌｅｄ  Ｄｅｖｉｃｅ）、レンズ部等で構成される画像取得部１３と、取得した画像データの一時格納場所としてのカメラデータバッファメモリ１４と、液晶表示部（ＬＣＤ：Ｌｉｑｕｉｄ  Ｃｒｙｓｔａｌ  Ｄｉｓｐｌａｙ）等が使用可能な表示部１５と、画像データに所定の圧縮伸長処理を施す画像データ処理部１６と、画像処理部３を統括する画像データ制御部１７とを備えている。
また、ＭＤレコーディングプレーヤ１は、データ記録再生制御部２の外部インターフェイス部８として、ＵＳＢハブ１８，ＵＳＢインターフェイス１９及び２０を備えている。ＭＤレコーディングプレーヤ１は、外部インターフェイス部８によりパーソナルコンピュータ（以下、ＰＣという。）２００と接続することができる。
ＭＤレコーディングプレーヤ１は、上述した構成を備え、異なるフォーマットで作成された各種コンテンツデータを記録可能なミニディスク９０を記録媒体として用いることにより、オーディオデータを記録できるほか、画像データを取得してミニディスク９０に記録することができる。また、外部インターフェイス部８を介してＰＣ等の情報処理機器と接続可能としたことで情報処理機器の外部ストレージとしても使用できる。
以下、図２に示す各構成について具体的に説明する。ＭＤレコーディングプレーヤ１においてメモリ転送コントローラ１０は、ミニディスク９０に記録されたフォーマットが異なる複数のコンテンツデータのうち記録再生部４で読み出された再生データ又は記録再生部４に供給する記録データの送受制御を行う。
キャッシュメモリ１１は、記録再生部４によってミニディスク９０のデータトラックから高密度データクラスタ単位で読み出されたデータを上述したメモリ転送コントローラ１０の制御に基づいて一時的に格納するメモリである。キャッシュメモリ１１は、記録再生部４によってミニディスク９０から読み出されたＵＴＯＣデータ等の各種管理情報、秘匿領域に記録される著作権保護のための情報、データ改竄チェックのための情報、限定的にアクセスを許可する外部機器情報等をメモリ転送コントローラ１０の制御に基づいて記憶する。
上述した関連データとは、あるコンテンツデータに対して、このコンテンツデータの実体がミニディスク９０のどこに記録されているかというアドレス情報、コンテンツの種類を表すタグ情報、ＵＴＯＣデータ等の各種管理情報、秘匿領域に記録される著作権保護のための情報、データ改竄チェックのための情報、限定的にアクセスを許可する外部機器情報等であり、例えば、オーディオデータであれば、曲名、作曲者名、曲長を示す時間情報等のようにオーディオデータの実体を識別するための情報、或いはオーディオデータを補足する情報である。また、画像データであれば、画像番号、作成日付、画枠サイズ、データ量等のような画像データの実体を識別するための情報、或いは画像データを補足する情報である。本具体例では関連データをシステム情報と表し、特に、ミニディスクに記録された全コンテンツデータに関連する関連データを共通システム情報とし、オーディオデータの関連データをオーディオデータシステム情報とし、画像データの関連データを画像システム情報とする。
システムコントローラ１２は、例えば、ミニディスク９０が記録再生部４に装填されると、ミニディスク９０の管理情報記録領域から管理情報等を読み出すよう記録再生部４に指示し、読み出されたＰＴＯＣ、ＵＴＯＣ等の管理情報等をメモリ転送コントローラ１０によってキャッシュメモリ１１に格納させる。また、システムコントローラ１２は、これらの管理情報を読み込むことによって、ミニディスク９０のトラック記録状態を把握している。また、システムコントローラ１２は、ＵＳＢインターフェイス２０、ＵＳＢハブ１８を介して接続されたＰＣ２００との間で通信可能である。システムコントローラ１２は、このＰＣ２００との間の通信制御を行って、ＰＣ２００からの書込要求、読出要求等のコマンドの受信、ＰＣ２００へのステイタス情報、その他の必要情報の送信等を行う。
システムコントローラ１２は、ＰＣ２００から、あるＦＡＴセクタの読出要求があった場合、記録再生部４に対して、読み出しを要求されたＦＡＴセクタを含むデータクラスタの読出を実行する旨の制御信号を与える。記録再生部４によって読み出されたデータクラスタは、メモリ転送コントローラ１０によってキャッシュメモリ１１に書き込まれる。但し、既にＦＡＴセクタのデータがキャッシュメモリ１１に格納されていた場合、記録再生部４による読出は必要ない。このとき、システムコントローラ１２は、キャッシュメモリ１１に書き込まれている高密度データクラスタのデータから、要求されたＦＡＴセクタのデータを読み出す制御信号を与え、ＵＳＢインターフェイス２０、ＵＳＢハブ１８を介して、ＰＣ２００に送信するための制御を行う。
また、システムコントローラ１２は、ＰＣ２００から、あるＦＡＴセクタの書込要求があった場合、記録再生部４に対して、書き込みが要求されたＦＡＴセクタを含むデータクラスタの読出を実行させる。読み出されたデータクラスタは、メモリ転送コントローラ１０によってキャッシュメモリ１１に書き込まれる。但し、既にこのＦＡＴセクタのデータがキャッシュメモリ１１に格納されていた場合は、記録再生部４による読出は必要ない。また、システムコントローラ１２は、ＰＣ２００から送信されたＦＡＴセクタの記録データを、ＵＳＢインターフェイス２０を介してメモリ転送コントローラ１０に供給し、キャッシュメモリ１１上で該当するＦＡＴセクタのデータの書き換えを実行させる。更にシステムコントローラ１２は、メモリ転送コントローラ１０に指示して、必要なＦＡＴセクタが書き換えられた状態でキャッシュメモリ１１に記憶されているデータクラスタのデータを記録データとして記録再生部４に転送させる。このとき、記録再生部４は、装着されている記録媒体であるミニディスクが対応している変調方式でデータクラスタの記録データを変調して書き込む。
なお、上述した記録再生制御は、データトラックを記録再生する際の制御であり、オーディオトラックに記録再生されるＭＤオーディオデータを記録再生する際のデータ転送は、オーディオデータ処理部７を介して行われる。
また、画像取得部１３で取得された画像データは、画像データ制御部１７、システムコントローラ１９を介してミニディスク９０に記録される。ミニディスク９０に記録される画像データは画像データ処理部１６によって所定の画像エンコードを施されデータ圧縮される。ミニディスク９０から読み出された画像データは、表示部１５において再生される。ミニディスク９０から再生された画像データは画像データ処理部１６において復号されデータ伸長処理される。また、ＭＤレコーディングプレーヤ１は、画像データ制御部１７に対して画像データが外部から入力される入力端子や外部へ画像データが出力される出力端子を備えるように構成されていてもよい。
ＭＤレコーディングプレーヤ１のほかの構成として、オーディオデータ処理部７に対する入力系としてオーディオデータ入力部５は、例えば、ライン入力回路／マイクロフォン入力回路等のアナログオーディオ信号入力部、Ａ／Ｄ変換器、及びデジタルオーディオデータ入力部を備える。また、オーディオデータ処理部１９は、ＡＴＲＡＣ圧縮エンコーダ／デコーダ、圧縮データのバッファメモリを備える。更に、オーディオデータ処理部７に対する出力系としてオーディオ出力部６は、例えばデジタルオーディオデータ出力部、Ｄ／Ａ変換器及びライン出力回路／ヘッドホン出力回路等のアナログオーディオ信号出力部を備えている。
記録媒体であるミニディスク９０に対してオーディオトラックが記録される第１の経路は、オーディオデータ処理部７にデジタルオーディオデータ、又はオーディオデータ入力部５のＡ／Ｄ変換器でアナログオーディオ信号から信号変換されたデジタルオーディオ信号が入力される場合である。入力されたリニアＰＣＭデジタルオーディオデータ、或いはアナログオーディオ信号で入力された後Ａ／Ｄ変換器で変換されて得られたリニアＰＣＭオーディオデータは、ＡＴＲＡＣ圧縮エンコードされ、キャッシュメモリ１１に蓄積される。その後、所定タイミング、例えばＡＤＩＰクラスタ相当のデータ単位でキャッシュメモリ１１から読み出され、記録再生部４に転送される。記録再生部４では、転送された圧縮データをＥＦＭ変調方式又はＲＬＬ（１−７）ＰＰ変調方式で変調してミニディスク９０の秘匿領域にオーディオトラックとして書き込む。
また、記録媒体であるミニディスク９０に対してオーディオトラックが記録される第２の場合は、ＰＣ２００から秘匿領域に記録されることが許可されたオーディオデータが入力された場合である。この場合、ＰＣ２００とシステムコントローラ１２との間でＵＳＢハブ１８，ＵＳＢインターフェイス２０を介してミニディスク９０に記録されるデータがオーディオデータとして秘匿領域に記録が許可されているデータであるか否かのチェックが行われ、ミニディスク９０の秘匿領域にオーディオデータとして記録が許可されたデータであることが認識された場合、システムコントローラ１２は、メモリ転送コントローラに対してＰＣ２００から入力される指定されたオーディオデータがミニディスク９０の秘匿領域に記録されるように、記録再生部４に指示を与える。
ミニディスク９０の秘匿領域への記録が許可された場合、ＰＣ２００は、ＵＳＢハブ１８，ＵＳＢインターフェイス１９を介してオーディオデータファイルをメモリ転送コントローラに転送し、転送されたオーディオデータファイルは、キャッシュメモリ１１に一時的に記憶される。その後、所定タイミング、例えばＡＤＩＰクラスタ相当のデータ単位でキャッシュメモリ１１から読み出され、記録再生部４に転送される。記録再生部４では、転送された圧縮データをＥＦＭ変調方式又はＲＬＬ（１−７）ＰＰ変調方式で変調してミニディスク９０の秘匿領域にオーディオトラックとして書き込む。
記録再生部４は、ミニディスク９０から秘匿領域に記録されたオーディオトラックを再生する場合、再生データをＡＴＲＡＣ圧縮データ状態に復調してオーディオデータ処理部７に転送する。オーディオデータ処理部７は、ミニディスク９０から再生されたＡＴＲＡＣエンコードされたオーディオデータにＡＴＲＡＣ圧縮デコードを施してリニアＰＣＭオーディオデータとし、オーディオデータ出力部６からデジタルデータとして出力する。或いは、Ｄ／Ａ変換器によりアナログ音声信号としてライン出力／ヘッドホン出力を行う。
なお、ＰＣ２００との接続は、ＵＳＢに限らず、例えば、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，Ｉｎｃ．：アメリカ電気電子技術者協会）の定める規格に準拠した、いわゆるＩＥＥＥ１３９４インターフェイスのほか、汎用の接続インターフェイスが適用できる。
次に、ＭＤレコーディングプレーヤ１における記録再生部４、オーディオデータ処理部７、オーディオデータ入力部５及びオーディオデータ出力部６の周辺構成について、図３を用いて詳細に説明する。
記録再生部４は、従来のミニディスク９０に対して記録再生する記録処理系を示している。記録再生部４は、ミニディスク９０の記録方式であるＥＦＭ変調及びＡＣＩＲＣエンコードを実行する構成を備え、再生処理系として、ミニディスク９０を再生するためのＥＦＭ復調及びＡＣＩＲＣデコードを実行する構成とを備える。また、記録再生部４は、装填されたミニディスク９０をスピンドルモータ３１によってＣＬＶ方式又はＺＣＡＶ方式によって回転駆動する。記録再生時には、このミニディスク９０に対して、光学ヘッド３２からレーザ光が照射される。
光学ヘッド３２は、記録時に記録トラックをキュリー温度まで加熱するための高レベルのレーザ出力を行い、また再生時には、磁気カー効果により反射光からデータを検出するための比較的低レベルのレーザ出力を行う。このため光学ヘッド３２は、レーザ出力手段としてのレーザダイオード、偏光ビームスプリッタ、対物レンズ等からなる光学系及び反射光を検出するためのディテクタが搭載されている。光学ヘッド３２に備えられる対物レンズとしては、例えば２軸機構によってディスク半径方向及びディスクに接離する方向に変位可能に保持されている。また、本具体例では、媒体表面の物理的仕様が異なる複数種類のミニディスクに対して記録再生可能とし、両ディスクに対して最大限の再生特性を得るために、光学ヘッド３２の読取光の光路中にデータ読取時のビットエラーレートを最適化できる位相補償板を設ける。
ミニディスク９０を挟んで光学ヘッド３２と対向する位置には、磁気ヘッド３３が配置されている。磁気ヘッド３３は、記録データによって変調された磁界をミニディスク９０に印加する。また、図示しないが光学ヘッド３２全体及び磁気ヘッド３３をディスク半径方向に移動させためのスレッドモータ及びスレッド機構が備えられている。
この記録再生部４では、光学ヘッド３２、磁気ヘッド３３による記録再生ヘッド系、スピンドルモータ３１によるディスク回転駆動系のほかに、記録処理系、再生処理系、サーボ系等が設けられる。記録処理系としては、ミニディスク９０への記録時にＥＦＭ変調、ＡＣＩＲＣエンコードを行う部位が設けられる。また、再生処理系として、ミニディスク９０の再生時にＥＦＭ変調に対応する復調及びＡＣＩＲＣデコードを行う部位が設けられる。
光学ヘッド３２からミニディスク９０に照射されたレーザ光の反射光は、フォトディテクタによって光電流として検出され、ＲＦ信号処理部３４に供給される。ＲＦ信号処理部３４は、入力された検出情報に対して電流−電圧変換、増幅、マトリクス演算等を行い、再生情報としての再生ＲＦ信号、トラッキングエラー信号ＴＥ、フォーカスエラー信号ＦＥ、ミニディスク９０にトラックのウォブリングにより記録されているグルーヴ情報としてのＡＤＩＰ情報等を抽出する。
ミニディスク９０の再生時には、ＲＦ信号処理部３４で得られた再生ＲＦ信号は、ＡＤＩＰ＿ＰＬＬ回路３５及びＥＦＭ＿ＰＬＬ回路３６を介して、ＥＦＭ及び／又はＡＣＩＲＣ符号化復調部（ＥＦＭ／ＡＣＩＲＣコーデック）３７で処理される。ＲＦ信号処理部３４から出力されるトラッキングエラー信号（Ｄｅｔｒａｃｋ）、フォーカスエラー信号（Ｄｅｆｏｃｕｓ）、レンズシフト信号（ＬｅｎｓＳｈｉｆｔ）は、後段の各サーボ信号処理回路に供給され、グルーヴ情報は、ＡＤＩＰ＿ＰＬＬ回路３５に供給される。ＡＤＩＰ＿ＰＬＬ回路３５は、グルーヴ情報に対してバンドパスフィルタにより帯域制限してウォブル成分を抽出した後、ＦＭ復調、バイフェーズ復調を行ってＡＤＩＰアドレスを抽出する。また、グルーヴ情報は、スピンドルサーボ制御のためにサーボ信号処理回路４６に戻される。
再生ＲＦ信号は、ＥＦＭ及び／又はＡＣＩＲＣ符号化復調部（ＥＦＭ／ＡＣＩＲＣコーデックと記す。）３７で２値化されてＥＦＭ信号列とされた後、ＥＦＭ復調され、更にＡＣＩＲＣ復調のための誤り訂正及びデインターリーブ処理が行われる。オーディオデータであれば、この時点でＡＴＲＡＣ圧縮データの状態である。復調されたＡＴＲＡＣ圧縮データは、ミニディスク９０からの再生データとしてメモリ転送コントローラ１５に対応するＤＲＡＭコントローラ３８によって、キャッシュメモリ１１に対応するＤＲＡＭ３９に一時的に格納され、オーディオデータ処理部７に対応するＡＴＲＡＣ符号化復号部（ＡＴＲＡＣコーデック）４０での使用に応じて読み出される。
ＡＴＲＡＣ圧縮データは、ＡＴＲＡＣコーデック４０でＡＴＲＡＣ復号され、オーディオデータ入力部５に対応するＡＤ／ＤＡコンバータ４１及びアンプ４２を介してヘッドホン或いはスピーカといった出力部４３から出力される。ＭＤレコーディングプレーヤ１は、マイク４４、アンプ４５、ＡＤ／ＤＡコンバータ４１を介して外部音声を取得することもできる。
サーボ信号処理回路４６は、例えばグルーヴ情報に対して再生クロック（デコード時のＰＬＬ系クロック）との位相誤差を積分して得られる誤差信号に基づき、ＣＬＶサーボ制御及びＺＣＡＶサーボ制御のためのスピンドルエラー信号を生成し、駆動回路５０に送る。また、サーボ信号処理回路４７，４８，４９は、ＲＦ信号処理部３４から供給されたトラッキングエラー信号、フォーカスエラー信号、レンズシフト、トラックジャンプ指令、アクセス指令等に基づいて、トラッキング制御信号、フォーカス制御信号、スレッド制御信号、スピンドル制御信号等の各種サーボ制御信号を生成し、各駆動回路５１，５２，５３に対して出力する。すなわち、各サーボ信号処理回路は、サーボエラー信号又は指令に対して位相補償処理、ゲイン処理、目標値設定処理等の必要処理を行って各種サーボ制御信号を生成する。
各駆動回路５０，５１，５２，５３では、サーボ信号処理回路から供給されたサーボ制御信号に基づいて所定のサーボドライブ信号を生成する。ここでのサーボドライブ信号としては、２軸機構を駆動する２軸ドライブ信号（フォーカス方向、トラッキング方向の２種）、スレッド機構を駆動するスレッドモータ駆動信号、スピンドルモータ３１を駆動するスピンドルモータ駆動信号となる。このようなサーボドライブ信号により、ミニディスク９０に対するフォーカス制御、トラッキング制御、及びスピンドルモータ３１に対するＣＬＶ制御又はＺＣＡＶ制御が行われる。
ミニディスク９０に対して記録動作が実行される際には、図２に示したメモリ転送コントローラ１５からＡＴＲＡＣ圧縮データが供給される。ミニディスク９０に対する記録時は、ＥＦＭ／ＡＣＩＲＣコーデック３７が機能する。オーディオデータであれば、ＡＣＩＲＣコーデックの符号化器でインターリーブ及びエラー訂正コード付加が行われた後、ＥＦＭ変調される。ＥＦＭ変調データが磁気ヘッドドライバ５４に供給され、磁気ヘッド３３がミニディスク９０に対してＥＦＭ変調データに基づいた磁界印加を行うことで変調されたデータが記録される。
ＥＦＭ及び／又はＡＣＩＲＣ符号化復調部（ＥＦＭ／ＡＣＩＲＣコーデック）３７の具体例を図４に詳細に示す。記録再生部４の要部は、図３に示したＭＤレコーディングプレーヤ１のスピンドルモータ３１、光学ヘッド３２、磁気ヘッド３３、ＲＦ信号処理部３４、ＡＤＩＰ＿ＰＬＬ回路３５、ＥＦＭ＿ＰＬＬ回路３６、ＥＦＭ及び／又はＡＣＩＲＣ符号化復調部（ＥＦＭ／ＡＣＩＲＣコーデック）３７、サーボ信号処理回路４６、サーボ信号処理回路４７，４８，４９、駆動回路５０，５１，５２，５３、磁気ヘッドドライバ５４に対応している。
記録再生部４は、装填されたディスク９０をスピンドルモータ３１によってＣＬＶ方式で回転駆動させる。そして、このディスク９０に対しては記録／再生時に光学ヘッド３２によってレーザ光が照射される。ミニディスク９０としては、現行のＭＤ仕様のディスクと、現行のＭＤの光磁気記録方式の変調方式を工夫したディスクと、従来の光磁気記録方式を採用したミニディスクの記録再生方式として通常用いられる記録フォーマットとは異なる信号方式を適用することによって秘匿性の向上と記録容量の高密度化を実現した新規ディスクとが共通して装着されることから、これら仕様の異なるディスクに応じて、線速度が異なる。このため、スピンドルモータ３１は、装填されたディスク９０の別に応じた異なる線速度に対応して回転されることになる。
光学ヘッド３２は、記録時には記録トラックをキュリー温度まで加熱するための高レベルのレーザ出力を行い、また再生時には磁気カー効果により反射光からデータを検出するための比較的低レベルのレーザ出力を行う。このため、光学ヘッド３２には、図示は省略するがレーザ出力手段としてのレーザダイオード、偏光ビームスプリッタや対物レンズ等からなる光学系、及び反射光を検出するためのディテクタが搭載されている。光学ヘッド３２に備えられる対物レンズとしては、例えば２軸機構によってディスク半径方向及びディスクに接離する方向に変位可能に保持されている。
また、ディスク９０を挟んで光学ヘッド３２と対向する位置には磁気ヘッド３３が配置されている。磁気ヘッド３３は記録データによって変調された磁界をディスク９０に印加する動作を行う。また、図示しないが光学ヘッド３２全体及び磁気ヘッド３３をディスク半径方向に移動させためスレッドモータ及びスレッド機構が備えられている。
光学ヘッド３２及び磁気ヘッド３３は、第２の次世代ＭＤのディスクの場合には、パルス駆動磁界変調を行うことにより、より記録密度の高い記録再生を可能にする。現行ＭＤのディスクや第１の次世代ＭＤのディスクの場合には、磁界変調方式が用いられる。
また、この記録再生部４では、光学ヘッド３２、磁気ヘッド３３による記録再生ヘッド系、スピンドルモータ３１によるディスク回転駆動系のほかに、記録処理系、再生処理系、サーボ系等が設けられる。
記録処理系では、現行のＭＤシステムのディスクの場合において、オーディオトラックの記録時に、ＡＣＩＲＣでエラー訂正符号化を行い、ＥＦＭで変調してデータを記録する部位と、第１の次世代ＭＤ及び第２の次世代ＭＤの場合に、ＢＩＳとＬＤＣを組み合わせた方式でエラー訂正符号化を行い、ＲＬＬ（１−７）ＰＰ変調を施して記録する部位が設けられる。
再生処理系には、現行のＭＤシステムのディスクの再生時にＥＦＭの復調とＡＣＩＲＣによるエラー訂正処理を実行するための部位と、第１の次世代ＭＤ及び第２の次世代ＭＤシステムのディスクの再生時にパーシャルレスポンス及びビタビ復号を用いたデータ検出に基づくＲＬＬ（１−７）ＰＰ復調とＢＩＳとＬＤＣによるエラー訂正処理を行う部位とが設けられる。また、再生処理系は、現行のＭＤシステムや第１の次世代ＭＤのＡＤＩＰ信号よるアドレスをデコードする部位と、第２の次世代ＭＤのＡＤＩＰ信号をデコードする部位とを備えている。
ミニディスク９０での反射光をフォトディテクタで変換して得られる光電流は、ＲＦ信号処理部３４に供給される。ＲＦ信号処理部３４は、入力した検出情報に対して電流−電圧変換、増幅、マトリクス演算等を行って、再生情報としての再生ＲＦ信号、トラッキングエラー信号ＴＥ、フォーカスエラー信号ＦＥ、ＡＤＩＰ情報等を抽出する。
ミニディスク９０が現行のＭＤシステムのディスクであるとき、ＲＦアンプで得られた再生ＲＦ信号は、ＥＦＭ復調部６８及びＡＣＩＲＣデコーダ６９で処理される。再生ＲＦ信号は、ＥＦＭ復調部６８で２値化されてＥＦＭ信号列とされた後、ＥＦＭ復調され、更にＡＣＩＲＣデコーダ６９で誤り訂正及びデインターリーブ処理される。この時点でＡＴＲＡＣ圧縮データの状態となる。また、現行のＭＤシステムのディスクであるときには、セレクタ７０はＢ接点側が選択されており、復調されたＡＴＲＡＣ圧縮データがディスク９０からの再生データとして出力される。
一方、第１の次世代ＭＤ及び第２の次世代ＭＤのディスクを再生するときには、ＲＦ信号処理部３４で得られた再生ＲＦ信号は、ＲＬＬ（１−７）ＰＰ復調部６６及びＲＳ−ＬＤＣデコーダ６７で処理される。すなわち再生ＲＦ信号は、ＲＬＬ（１−７）ＰＰ復調部６６において、ＰＲ（６６８）ＭＬ又はＰＲ（１，−１）ＭＬと、ビタビ復号とを用いたデータ検出によりＲＬＬ（１−７）符号列としての再生データを得、このＲＬＬ（１−７）符号列に対してＲＬＬ（１−７）復調処理が行われる。そして更にＲＳ−ＬＤＣデコーダ６７で誤り訂正、及びデインターリーブ処理される。第１の次世代ＭＤ及び第２の次世代ＭＤのディスクの再生時には、セレクタ７０は、Ａ接点側が選択され、ＲＬＬ（１−７）ＰＰ復調されたデータがディスク９０からの再生データとして出力される。
ＲＦ信号処理部３４から出力されるトラッキングエラー信号、フォーカスエラー信号はサーボ信号処理回路４６に供給され、グルーヴ情報はＡＤＩＰ復調部８０に供給される。ＡＤＩＰ復調部８０は、グルーヴ情報に対してバンドパスフィルタにより帯域制限してウォブル成分を抽出した後、ＦＭ復調、バイフェーズ復調を行ってＡＤＩＰ信号を復調する。そして、このように復調された、絶対アドレス情報であるＡＤＩＰアドレスは、図２に示されるシステムコントローラ１２に供給される。システムコントローラ１２は、ＡＤＩＰアドレスに基づいて所定の制御処理を実行する。またグルーヴ情報は、スピンドルサーボ制御のためにサーボ信号処理回路４６に供給される。
サーボ信号処理回路４６は、例えばグルーヴ情報に対して再生クロック（デコード時のＰＬＬ系クロック）との位相誤差を積分して得られる誤差信号に基づき、ＣＬＶサーボ制御のためのスピンドルエラー信号を生成する。またサーボ信号処理回路４６は、スピンドルエラー信号、ＲＦ信号処理部３４から供給されたトラッキングエラー信号、フォーカスエラー信号、或いはシステムコントローラ１２からのトラックジャンプ指令、アクセス指令等に基づいて各種サーボ制御信号（トラッキング制御信号、フォーカス制御信号、スレッド制御信号、スピンドル制御信号等）を生成し、駆動回路５０に対して出力する。すなわち上記サーボエラー信号や指令に対して位相補償処理、ゲイン処理、目標値設定処理等の必要処理を行って各種サーボ制御信号を生成する。
駆動回路５０では、サーボ信号処理回路４６から供給されたサーボ制御信号に基づいて所定のサーボドライブ信号を生成する。ここでのサーボドライブ信号としては、２軸機構を駆動する２軸ドライブ信号（フォーカス方向、トラッキング方向の２種）、スレッド機構を駆動するスレッドモータ駆動信号、スピンドルモータ３１を駆動するスピンドルモータ駆動信号となる。このようなサーボドライブ信号により、ディスク９０に対するフォーカス制御、トラッキング制御、及びスピンドルモータ３１に対するＣＬＶ制御が行われることになる。
現行のＭＤシステムのディスクでオーディオデータを記録するときには、セレクタ６５がＢ接点に接続されることにより、ＡＣＩＲＣエンコーダ６３及びＥＦＭ変調部６４が機能する。この場合、記録データとして図２に示されるキャッシュメモリ１１から供給される圧縮データは、ＡＣＩＲＣエンコーダ６３でインターリーブ及びエラー訂正コード付加が行われた後、ＥＦＭ変調部６４でＥＦＭ変調が行われる。そして、ＥＦＭ変調データがセレクタ６５を介して磁気ヘッドドライバ５４に供給され、磁気ヘッド３３がディスク９０に対してＥＦＭ変調データに基づいた磁界印加を行うことによりオーディオトラックが記録される。
これに対し、第１の次世代ＭＤ又は第２の次世代ＭＤ２にデータを記録するときには、セレクタ６５がＡ接点に接続され、ＲＳ−ＬＤＣエンコーダ６１及びＲＬＬ（１−７）ＰＰ変調部６２が機能することになる。この場合、キャッシュメモリ１１からの高密度データは、ＲＳ−ＬＤＣエンコーダ６１でインターリーブ及びＲＳ−ＬＤＣ方式のエラー訂正コード付加が行われた後、ＲＬＬ（１−７）ＰＰ変調部６２でＲＬＬ（１−７）変調が行われる。そして、ＲＬＬ（１−７）符号列としての記録データがセレクタ６５を介して磁気ヘッドドライバ５４に供給され、磁気ヘッド３３がディスク９０に対して変調データに基づいた磁界印加を行うことでデータトラックが記録される。
レーザドライバ６０は、上記のような再生時及び記録時においてレーザダイオードにレーザ発光動作を実行させるほか、いわゆるＡＰＣ（Ａｕｔｏｍａｔｉｃ  Ｌａｓｅｒ  Ｐｏｗｅｒ  Ｃｏｎｔｒｏｌ）動作も行う。
図示していないが、光学ヘッド３２内にはレーザパワーモニタ用のディテクタが設けられ、そのモニタ信号がレーザドライバ６０にフィードバックされる。レーザドライバ６０は、モニタ信号として得られる現在のレーザパワーと設定されたレーザパワーとを比較して、その誤差分をレーザ駆動信号に反映させることにより、レーザダイオードから出力されるレーザパワーが設定値で安定するように制御している。なお、レーザパワーは、再生時と記録時とで異なっており、再生レーザパワー又は記録レーザパワーとしての値がシステムコントローラ１２によってレーザドライバ６０内部のレジスタにセットされる。
以上の各動作（アクセス、各種サーボ、データ書込、データ読出の各動作）は、図２に示されるシステムコントローラ１２からの指示に基づいて実行される。
次に、本発明の具体例として示すＭＤレコーディングプレーヤ１で扱われるミニディスク９０の盤面上のエリア構造及びデータ管理構造の一例について図面を用いて説明する。
まず、ミニディスク９０の盤面上のエリア構造例を図５、図６に模式的に示す。ミニディスク９０のディスクの最内周側には、プリマスタードエリアとして、ＰＴＯＣ（Ｐｒｅｍａｓｔｅｒｄ  Ｔａｂｌｅ  Ｏｆ  Ｃｏｎｔｅｎｔｓ）が設けられている。ここには、ディスク管理情報が物理的な構造変形によるエンボスピットとして記録されている。プリマスタードエリアよりも外周は、光磁気記録可能なレコーダブルエリアとされ、記録トラックの案内溝としてのグルーヴが形成された記録再生可能領域である。このレコーダブルエリアの最内周側は、ＵＴＯＣ（Ｕｓｅｒ  Ｔａｂｌｅ  Ｏｆ  Ｃｏｎｔｅｎｔｓ）領域であって、このＵＴＯＣ領域には、ＵＴＯＣ情報が記述されるとともにプリマスタードエリアとの緩衝エリアとレーザ光の出力パワー調整等のために用いられるパワーキャリブレーションエリアとが設けられている。
ミニディスク９０は、図６に示すように、高密度化を図るためにプリピットを用いないため、従来の光磁気記録方式を採用したミニディスクの記録再生方式として通常用いられる記録フォーマットとは異なる信号方式を適用したミニディスクには、ＰＴＯＣ領域がない。この場合のミニディスク９０には、レコーダブルエリアの更に内周領域に著作権保護のための情報、データ改竄チェックのための情報、他の非公開情報等を記録するユニークＩＤエリア（Ｕｎｉｑｕｅ  ＩＤ：ＵＩＤ）が設けられている。このＵＩＤエリアは、ミニディスク９０に適用されるＤＷＤＤ方式とは異なる記録方式で記録されている。
なお、ここで説明した各ディスクには、オーディオデータ用のオーディオトラックとデータトラックとを混在記録することもできる。この場合、例えば、図７に示すように、データエリアに少なくとも１つのオーディオトラックが記録されたオーディオ記録領域ＡＡと、少なくとも１つのデータトラックが記録されたＰＣ用データ記録領域ＤＡとがそれぞれ任意の位置に形成されることになる。
ミニディスク９０では、一連のオーディオトラック及びデータトラックは、ディスク上で必ずしも物理的に連続して記録される必要はなく、複数のパーツに分割して記録されていてもよい。パーツとは、物理的に連続して記録される区間を示す。すなわち、物理的に離れた２つのＰＣデータ記録領域が存在する場合でも、データトラックの数としては、１つとして扱われる場合もあり、複数トラックとして扱われる場合もある。
続いて、ミニディスク９０のデータ管理構造の一例について図８に示す。ＭＤレコーディングプレーヤ１は、ミニディスク９０をＦＡＴファイルシステムで管理している。また、ＭＤレコーディングプレーヤ１は、コンテンツデータを以下に示すディレクトリ構造で管理している。
図８に示すように、ミニディスクには、オーディオファイルを格納するディレクトリである“ＨＩＦＩ”、静止画の画像データを格納するディレクトリである“ＤＣＩＭ”等が作成される。オーディオディレクトリ“ＨＩＦＩ”には、サブディレクトリとしてトラックインフォメーションファイル（以下、ＴＩＦと記す。）、オーディオデータファイル（以下、ＡＤＦと記す。）、トラックＭＡＣ等が生成される。図８には、後述する削除履歴ファイルがＭＤレコーディングプレーヤ１によって作成されている。
また、デジタルカメラによって撮像された画像データを格納する静止画像ディレクトリ“ＤＣＩＭ”は、サブディレクトリとして０００〜９９９番までの通し番で区別されるフォルダ“＊＊＊ＭＳＤＣＦ（＊＊＊は、０００〜９９９）”を有し、更に各サブディレクトリ内には、撮像された静止画像データが所定の命名規約に基づいて、ＤＳＣ＊＊＊＊．ｊｐｇ（＊＊＊＊は、時間情報）のようなファイル名を添付されて格納されている。
図８に示すディレクトリ構造には、ミニディスク９０に特徴的なセキュリティ情報及びコンテンツ世代管理情報等のファイルも含まれている。セキュリティ情報及びコンテンツ世代管理情報としては、記録再生装置毎の再生許可情報としてのＥＫＢ（Ｅｎａｂｌｉｎｇ  Ｋｅｙ  Ｂｌｏｃｋ）、コンテンツの改竄チェック情報としてのトラックＭＡＣ等がある。
ＨＩＦＩにおけるトラックインフォメーションファイル（ＴＩＦ）は、オーディオコンテンツデータに関する暗号化情報に相当する。トラックインフォメーションファイル（ＴＩＦ）及びオーディオデータファイル（ＡＤＦ）は、ＦＡＴファイルシステムで管理されている。
本発明の具体例として示すＭＤレコーディングプレーヤ１は、新たなコンテンツが記録される状況になったときに記録容量が不足し、例えば、チェックイン・チャックアウトのような著作権管理されたコンテンツを削除しなければならないとき、削除履歴を作成することによって著作権保護されたデータを復元できるようにした。以下では、著作権保護されたコンテンツが削除されたとき、コンテンツの利用に不具合が生じないように復元する方法について説明する。
ＭＤレコーディングプレーヤ１において削除されたコンテンツを復元するための第１の方法は、ＭＤレコーディングプレーヤ１がコンテンツを削除する毎に削除したコンテンツの削除履歴を作成し記録媒体であるミニディスク９０の記録領域に格納する方法である。また、第２の方法は、パーソナルコンピュータ２００がミニディスク９０に移動したコンテンツの履歴、すなわち記録履歴を作成しＰＣ２００自身のメモリ等に格納する方法である。更に第３の方法として、ＭＤレコーディングプレーヤ１に削除履歴を、そしてＰＣ２００に記録履歴を作成する方法である。
まず、第１の方法について説明する。第１の方法で、ＭＤレコーディングプレーヤ１によって作成される削除履歴の例を図９に示す。削除履歴には、コンテンツを識別するための識別情報、コンテンツが記録された記録領域のアドレス、削除時間等のフィールドが存在する。
図１０に、第１の方法を実現するＰＣ２００とＭＤレコーディングプレーヤ１の機能構成を示す。第１の方法において、ＰＣ２００は、コンテンツデータを蓄積するＨＤＤ等のコンテンツ蓄積部２０１と、コンテンツ蓄積部２０１に蓄積したコンテンツをＭＤレコーディングプレーヤ１に転送するＵＳＢインターフェイス２０２と、ＭＤレコーディングプレーヤ１が削除したコンテンツの再記録を行う再記録処理部２０３とを備える。
ＭＤレコーディングプレーヤ１は、外部インターフェイス部８に対応するＵＳＢインターフェイス１０１と、ＵＳＢを介して入力したコンテンツをミニディスク９０に記録する記録再生部４に対応する記録部１０２と、ミニディスク９０に記録されたコンテンツを削除、変更、追加等するコンテンツ編集部１０３と、ミニディスク９０に記録されたコンテンツを再生する再生部１０４と、削除履歴を生成する削除履歴生成部１０５とを備える。
コンテンツ編集部１０３は、コンテンツ削除が指示されるとＴＯＣ（Ｔａｂｌｅ  Ｏｆ  Ｃｏｎｔｅｎｔｓ）を編集する。ＴＯＣには、コンテンツの開始位置と、終了位置と、コンテンツの再生順序とが記録されている。コンテンツ編集部１０３は、ＴＯＣを編集してコンテンツを削除する。コンテンツ編集部１０３がコンテンツを削除すると、削除履歴生成部１０５は、削除したコンテンツの識別情報、コンテンツの削除日時などを削除履歴に記録する。
ＭＤレコーディングプレーヤ１は、図９の項目を有する削除履歴を、例えば図８に示したミニディスク９０のデータ管理構造において、ＨＩＦＩディレクトリのサブディレクトリとして、トラックインフォメーションファイル、オーディオデータファイル、トラックＭＡＣ等に続いて削除履歴ファイルディレクトリとして格納する。
コンテンツデータが削除された場合には、ＰＣ２００とＭＤレコーディングプレーヤ１とが接続されたとき、一例としてＰＣ２００がＭＤレコーディングプレーヤ１によってミニディスク９０に格納された削除履歴ファイルを読み出して、ここに登録された削除コンテンツを複製してミニディスク９０に再度記録する処理を行う。
ＰＣ２００における再記録処理部２０３は、記録容量を確認した後、削除履歴に基づいて削除されたコンテンツの再記録を行う。再記録処理部２０３は、ＭＤレコーディングプレーヤ１から削除履歴を入力される。再記録処理部２０３は、削除履歴に登録された削除コンテンツに対応するコンテンツをコンテンツ蓄積部２０１から読み出し、ＭＤレコーディングプレーヤ１に伝送する。ＭＤレコーディングプレーヤ１の記録部１０２は、再記録処理部２０３によって再記録のために入力されたコンテンツデータをミニディスク９０に記録する。
また、ＭＤレコーディングプレーヤ１が削除履歴に登録されたコンテンツデータをＰＣ２００に要求してもよい。なお、削除履歴ファイルに基づいてコンテンツを復元する動作には、ＰＣ２００に記録されたチェックインチェックアウトの管理情報を整合する動作も含まれる。これにより、コンテンツがチェックアウト先の機器で削除された場合であっても、持ち出し（チェックアウト）されたコンテンツのＰＣ２００における使用権を復元することができる。
上述した第１の方法による削除コンテンツの復元処理を図１１に示す。ここでは、ＭＤレコーディングプレーヤ１のデジタルカメラ機能を立ち上げたとき、撮像した画像データを記録する容量を確保するために、著作権保護されて記録されたオーディオデータを削除する場合について説明する。
まず、ユーザがＰＣ２００に対してコンテンツの記録を指示すると（ステップＳ１、ＹＥＳ）、ＰＣ２００は、コンテンツ蓄積部２０１に蓄積したコンテンツをＭＤレコーディングプレーヤ１に転送する（ステップＳ２）。ＭＤレコーディングプレーヤ１の記録部１０２は、ＰＣ２００から入力されたコンテンツをミニディスク９０に記録する（ステップＳ３）。
ＭＤレコーディングプレーヤ１は、ＰＣ２００と切断されて単独で使用される状態にあるとき、例えば、ユーザから新たにコンテンツを記録するモードが選択されると（ステップＳ４、ＹＥＳ）、コンテンツ編集部１０３は、追加するコンテンツを記録する容量を確保するために、更にミニディスク９０に記録されたオーディオデータを削除するかを判別する（ステップＳ５）。ここでは、ＭＤレコーディングプレーヤ１のデジタルカメラ機能が選択されて、追加されるコンテンツとして画像データが記録される場合である。
例えば、オーディオデータの削除が選択されると（ステップＳ５、ＹＥＳ）、ＭＤレコーディングプレーヤ１は、指定されたオーディオデータを削除し（ステップＳ６）、削除したオーディオデータに関する情報を削除履歴に記録する（ステップＳ７）。
そして、ＭＤレコーディングプレーヤ１が、次回、ＰＣ２００と接続されたタイミングで、ＭＤレコーディングプレーヤ１は、削除履歴情報をＰＣ２００に送信する（ステップＳ８）。ＰＣ２００は、ミニディスク９０の記録容量をチェックする（ステップＳ９）。ＰＣ２００は、ミニディスク９０の記録容量が削除されたコンテンツを補うのに不十分な場合には（ステップＳ１０、ＮＯ）、ユーザに対してミニディスク９０の容量を確保する指示を表示する（ステップＳ１１）。記録容量が足りている場合には（ステップＳ１０、ＹＥＳ）、削除履歴に登録されたオーディオデータを読み出し（ステップＳ１２）、読み出したオーディオデータをＭＤレコーディングプレーヤ１に伝送する（ステップＳ１３）。ＭＤレコーディングプレーヤ１は、受け取ったオーディオデータを記録する（ステップＳ１４）。
このように、第１の方法では、ＭＤレコーディングプレーヤ１においてミニディスク９０に記録されたオーディオデータが削除されたとき、同時に削除履歴を作成するため、ユーザがどのコンテンツを削除したかを記憶しなくてもミニディスク９０に記録された削除履歴を基に削除したコンテンツを再記録することができる。
なお、第１の方法では、ステップＳ８及びステップＳ９において、ＰＣ２００とＭＤレコーディングプレーヤ１とが次回接続されたとき、まずＰＣ２００がＭＤレコーディングプレーヤ１に対して削除履歴を送信する要求を実行してもよい。
続いて、第２の方法について説明する。
第２の方法は、ＰＣ２００がミニディスク９０に記録したコンテンツの記録履歴を作成しＰＣ２００のメモリや記録媒体に格納しておく方法である。ＭＤレコーディングプレーヤ１においてミニディスク９０内のコンテンツが削除された場合には、削除後にＭＤレコーディングプレーヤ１と接続されたときに、自身に記録されている記録履歴に基づいてＭＤレコーディングプレーヤ１内のコンテンツを検証する。
記録履歴の例を図１２に示す。記録履歴は、図１２に示すように、ＰＣ２００に接続されたＭＤレコーディングプレーヤ１によってミニディスク９０に記録したコンテンツデータを識別する情報、コンテンツデータが記録された記録領域のアドレス、記録時間等のフィールドが存在する。ＰＣ２００は、ミニディスク９０に現在記録されているコンテンツと、ミニディスク９０に以前記録したコンテンツとを比較し、以前記録したコンテンツが現在記録されていない場合、このコンテンツが削除されたコンテンツであると判断する。ミニディスク９０に現在記録されているコンテンツの情報は、通常のミニディスク９０であればＴＯＣに記録されているため、ＰＣ２００は、記録履歴とＴＯＣの内容とを比較し、記録履歴に登録されたコンテンツであってミニディスク９０に記録されていないコンテンツを削除されたコンテンツであると判断する。
図１３に、第２の方法を実現するＰＣ２００とＭＤレコーディングプレーヤ１の機能構成を示す。第２の方法では、パーソナルコンピュータ２００が記録履歴生成部２０４を備えることを特徴とする。ここでは、ＭＤレコーディングプレーヤ１のデジタルカメラ機能を立ち上げたとき、撮像した画像データを記録する容量を確保するために、著作権保護されて記録されたオーディオデータを削除する場合について説明する。
記録履歴生成部２０４は、ＭＤレコーディングプレーヤに記録したコンテンツの履歴を作成する。記録履歴生成部２０４は、コンテンツ蓄積部２０１に蓄積したコンテンツをＭＤレコーディングプレーヤに転送する毎に、移動したコンテンツの識別情報、コンテンツの記録領域のアドレス、コンテンツの記録日時などの情報を記録履歴に追加する。
再記録処理部２０３は、現在ミニディスク９０に記録されているコンテンツと、以前ミニディスク９０に記録したコンテンツを比較し、以前ミニディスク９０に記録したコンテンツが現在ミニディスク９０に存在しない場合、このコンテンツを削除したコンテンツであると判断し、コンテンツの再記録を行う。
ユーザがＰＣ２００に対してコンテンツの記録を指示すると（ステップＳ２０、ＹＥＳ）、ＰＣ２００は、指定されたコンテンツの情報を記録履歴に登録する（ステップＳ２１）。続いて、コンテンツ蓄積部２０１に蓄積したコンテンツをＭＤレコーディングプレーヤ１に伝送する（ステップＳ２３）。ＭＤレコーディングプレーヤ１の記録部１０２は、ＰＣ２００から入力されたコンテンツをミニディスク９０に記録する（ステップＳ２３）。
ＭＤレコーディングプレーヤ１は、ＰＣ２００と切断されて単独で使用される状態にあるとき、例えば、ユーザから新たにコンテンツを記録するモードが選択されると（ステップＳ２４、ＹＥＳ）、コンテンツ編集部１０３は、追加するコンテンツを記録する容量を確保するために、更にミニディスク９０に記録されたオーディオデータを削除するかを判別する（ステップＳ２５）。ここでは、ＭＤレコーディングプレーヤ１のデジタルカメラ機能が選択されて、追加されるコンテンツとして画像データが記録される場合である。例えば、オーディオデータの削除が選択されると（ステップＳ２５、ＹＥＳ）、ＭＤレコーディングプレーヤ１は、指定されたオーディオデータを削除する（ステップＳ２６）。
そして、ＭＤレコーディングプレーヤ１が、次回、ＰＣ２００と接続されたタイミングで、ＭＤレコーディングプレーヤ１は、セットされているミニディスクのＴＯＣをＰＣ２００に送信する（ステップＳ２７）。ＰＣ２００は、ミニディスク９０の記録容量をチェックする（ステップＳ２８）。ＰＣ２００は、ミニディスク９０の記録容量が削除されたオーディオデータを補うのに不十分である場合には（ステップＳ２９、ＮＯ）、ユーザに対してミニディスク９０の容量を確保する指示を表示する（ステップＳ３０）。記録容量が足りている場合には（ステップＳ２９、ＹＥＳ）、記録履歴とＴＯＣとを比較し（ステップＳ３１）、削除されたオーディオデータをＭＤレコーディングプレーヤ１に伝送する（ステップＳ３２）。ＭＤレコーディングプレーヤ１は、受け取ったオーディオデータを記録する（ステップＳ３３）。
このように、第２の方法では、ＰＣ２００が記録履歴を作成するため、ＭＤレコーディングプレーヤ１は、既存のＭＤレコーディングプレーヤであっても適用できる。
なお、第２の方法では、ステップＳ２７及びステップＳ２８において、ＰＣ２００とＭＤレコーディングプレーヤ１とが次回接続されたとき、まずＰＣ２００がＭＤレコーディングプレーヤ１によって再生されるミニディスク９０のＴＯＣを送信する要求を実行してもよい。
続いて、第３の方法について説明する。
第３の方法は、記録履歴と削除履歴との両方を作成する方法である。記録履歴は、図１５（ａ）に示すように、媒体ＩＤを記述するフィールドが設けられている。一方、削除履歴は、図１５（ｂ）に示すように削除したコンテンツの名称、コンテンツの記録領域のアドレスなどを記述する。媒体ＩＤは、ミニディスク９０の製造時に特定領域に記録される識別情報である。ここでは、ＭＤレコーディングプレーヤ１のデジタルカメラ機能を立ち上げたとき、撮像した画像データを記録する容量を確保するために、著作権保護されて記録されたオーディオデータを削除する場合について説明する。
第３の方法では、ＰＣ２００に格納された記録履歴、ＭＤレコーディングプレーヤ１によってミニディスク９０に格納された削除履歴、ミニディスク９０の媒体ＩＤが一致したときにのみ、ＭＤレコーディングプレーヤ１によって削除されたコンテンツをミニディスク９０に再度記録できるようにする。
更にまた、第３の方法では、「みなしチェックイン・みなしチェックアウト」を行うことができる。オーディオデータの著作権保護技術では、チェックアウトの回数を制限することでコンテンツの違法コピーを防止している。しかしながら、チェックアウトしたコンテンツがチェックアウト先で削除された場合、チェックアウトしたコンテンツが存在しないことになりチェックインができなくなる。そのため、ＰＣ２００では、チェックアウト回数がカウントされたままになってしまう。ここでの「みなしチェックイン」とは、実際にはＰＣ２００からＭＤレコーディングプレーヤ１にチェックアウトしたコンテンツデータをチェックアウトしていないコンテンツであるとみなして、すなわちコンテンツデータの実体が削除されていても、削除履歴或いは記録履歴を参照することによってチェックインしたことにして、チェックアウトの制限回数を復元することである。
図１６に、第３の方法を実現するＰＣ２００とＭＤレコーディングプレーヤ１の機能構成を示す。第３の方法では、ＰＣ２００が記録履歴生成部２０４を備え、ＭＤレコーディングプレーヤ１が削除履歴生成部１０５を備える。また、ＭＤレコーディングプレーヤ１には、秘匿領域に媒体ＩＤが記録されている。記録履歴には、コンテンツデータの記録先（移動先）のＭＤレコーディングプレーヤ１の媒体ＩＤも記録されるようになっている。
図１６に示す第３の方法では、ＰＣ２００は、更に著作権保護部２０６を備えている。著作権保護部２０６は、コンテンツのチェックアウト回数、すなわち、コピー回数を制限する。再記録処理部２０３は、ＭＤレコーディングプレーヤ１に記録したコンテンツが削除された場合、チェックアウトした回数を１減少させる。これにより、ユーザに与えられたチェックアウトの回数と、実際のコンテンツデータとの整合をとることができる。
図１７を参照して、上述した第３の方法による削除コンテンツの復元処理について説明する。
ＭＤレコーディングプレーヤ１は、ミニディスク９０が装着されるとミニディスク９０の媒体ＩＤを読み出す（ステップＳ４０）。ユーザがＰＣ２００に対してコンテンツの記録を指示すると（ステップＳ４１、ＹＥＳ）、ＰＣ２００は、ＭＤレコーディングプレーヤ１に対してミニディスク９０の媒体ＩＤを問い合わせる（ステップＳ４２）。ＭＤレコーディングプレーヤ１は、ＰＣ２００に対して媒体ＩＤを送る（ステップＳ４３）。
ＰＣ２００における記録履歴生成部２０４は、ＭＤレコーディングプレーヤ１の媒体ＩＤと、指定されたコンテンツの識別情報、記録領域のアドレス、記録日時を記録履歴に記録する（ステップＳ４４）。続いて、コンテンツ蓄積部２０１に蓄積したコンテンツであって指定されたオーディオデータをＭＤレコーディングプレーヤ１に伝送する（ステップＳ４５）。ＭＤレコーディングプレーヤ１の記録部１０２は、ＰＣ２００から送られたコンテンツをミニディスク９０に記録する（ステップＳ４６）。
ＭＤレコーディングプレーヤ１は、ＰＣ２００と切断されて単独で使用される状態にあるとき、例えば、ユーザから新たにコンテンツを記録するモードが選択されると（ステップＳ４７、ＹＥＳ）、コンテンツ編集部１０３は、追加するコンテンツを記録する容量を確保するために、更にミニディスク９０に記録されたオーディオデータを削除するかを判別する（ステップＳ４８）。ここでは、ＭＤレコーディングプレーヤ１のデジタルカメラ機能が選択されて、追加されるコンテンツとして画像データが記録される場合である。例えば、オーディオデータの削除が選択されると（ステップＳ４８、ＹＥＳ）、ＭＤレコーディングプレーヤ１は、指定されたオーディオデータを削除し（ステップＳ４９）、削除したオーディオデータに関する情報を削除履歴に記録する（ステップＳ５０）。
そして、ＭＤレコーディングプレーヤ１が、次回、ＰＣ２００と接続されたタイミングで、ＭＤレコーディングプレーヤ１は、削除履歴情報をＰＣ２００に送信する（ステップＳ５１）。ＰＣ２００は、ミニディスク９０の記録容量をチェックする（ステップＳ５２）。ＰＣ２００は、ミニディスク９０の記録容量が削除されたコンテンツを補うのに不十分な場合には（ステップＳ５３、ＮＯ）、ユーザに対してミニディスク９０の容量を確保する指示を表示する（ステップＳ５４）。記録容量が足りている場合には（ステップＳ５４、ＹＥＳ）、記録履歴と削除履歴とミニディスクの媒体ＩＤとを比較した後（ステップＳ５５）、削除されたコンテンツをみなしチェックインする（ステップＳ５６）。すなわち、コンテンツデータの実体が削除されていても、チェックイン・チェックアウトの回数とコンテンツデータとを整合することにより、チェックアウトされたコンテンツデータがチェックアウト先で何らかの理由により削除された場合であっても、チェックアウトの制限回数が保証され、コンテンツデータが使用できなくなるといった不具合を防止できる。
ここで、上述した第１の方法におけるステップＳ４〜ステップＳ６、第３の方法におけるステップＳ４７〜ステップＳ４９で示した新たに記録するコンテンツデータのためにミニディスクに記録されたコンテンツを削除する処理について、更に具体的に説明する。
図１８に示すように、ＭＤレコーディングプレーヤ１におけるコンテンツ編集部１０３は、データの記録か再生かを判別する（ステップＳ６０）。記録の場合には更に、ミニディスクの記録容量が十分かを判別する（ステップＳ６１）、不十分なとき、新たに記録するコンテンツデータがオーディオモードか、デジタルカメラモードかのモード判別を行う（ステップＳ６２）。画像データの場合には、ミニディスクに記録された画像データの一覧を表示する（ステップＳ６３）。また、オーディオデータの場合には、ミニディスクに記録されたオーディオデータの一覧を表示する（ステップＳ６４）。表示された情報に基づいてユーザによって選択された指示にしたがって、コンテンツデータを選択し削除する（ステップＳ６５）。このとき、コンテンツデータを削除するか否かを選択させるグラフィックユーザインターフェイスを表示する。削除履歴生成部１０５は、削除したオーディオデータ或いは画像データのコンテンツ情報を削除履歴に登録する。削除履歴が作成されるとともに、記録部１０２によって新たなコンテンツデータがミニディスクに追加記録される。
以上説明したように、本発明の具体例として示す第１の方法〜第３の方法によれば、ユーザは、削除したコンテンツデータを自らが記憶しなくてもよく、削除されたコンテンツは、削除履歴或いは記録履歴に基づいて自動的に復元される。また、オーディオデータのチェックイン・チェックアウトのように、機器間或いは記録媒体間の移動と複製とが管理されたコンテンツデータが何らかの要因で削除されてしまったような場合であっても、著作権保護下で削除されたコンテンツデータの管理情報を整合することでこれを復元して利用することができる。
なお、本発明は、図面を参照して説明した上述の実施例に限定されるものではなく、添付の請求の範囲及びその主旨を逸脱することなく、様々な変更、置換又はその同等のものを行うことができることは当業者にとって明らかである。
【産業上の利用可能性】
【０００６】  本発明によれば、ユーザが削除したコンテンツを記憶しなくても削除されたコンテンツを削除履歴に基づいて復元することができる。また、機器間或いは記録媒体間の移動と複製とが管理されたコンテンツデータが削除された場合であっても、著作権保護下で削除されたコンテンツデータを復元して利用することができる。また、コンテンツを蓄積可能なホスト機器がある場合、この機器側に記録媒体に記録したコンテンツの記録履歴を格納することにより、記録履歴と記録媒体に記録されているコンテンツに関する情報とから削除コンテンツを特定することができる。
【図１】
2005064476.tif 000002
【図２】
2005064476.tif 000003
【図３】
2005064476.tif 000004
【図４】
2005064476.tif 000005
【図５】
2005064476.tif 000006
【図６】
2005064476.tif 000007
【図７】
2005064476.tif 000008
【図８】
2005064476.tif 000009
【図９】
2005064476.tif 000010
【図１０】
2005064476.tif 000011
2005064476.tif 000012
2005064476.tif 000013
【図１２】
2005064476.tif 000014
【図１３】
2005064476.tif 000015
2005064476.tif 000016
2005064476.tif 000017
【図１５】
2005064476.tif 000018
【図１６】
2005064476.tif 000019
2005064476.tif 000020
2005064476.tif 000021
【図１８】
2005064476.tif 000022
【国際調査報告】
2005064476.tif 000023
2005064476.tif 000024